(57)【特許請求の範囲】
【請求項１】
ディスク型記録媒体のハブ孔に嵌合する支え部を具備し、前記支え部が前記ハブ孔に嵌合した状態で前記ディスク型記録媒体を保持する保持板を有するディスク型記録媒体保持体において、
前記保持板は、記録された音声情報の再生を可能に構成され、前記支え部に対向する領域に前記音声情報を再生するための操作部を具備するシート状の音声情報記録／再生手段を有することを特徴とするディスク型記録媒体保持体。
【請求項２】
請求項１に記載のディスク型記録媒体保持体において、
前記音声情報記録／再生手段は、再生された音声情報を外部に出力する音声情報出力部を有し、
前記保持板は、前記ディスク型記録媒体が当接する当接面を具備し、該当接面のうち前記音声情報出力部に対向する領域に穴部を有することを特徴とするディスク型記録媒体保持体。
【請求項３】
請求項１または請求項２に記載のディスク型記録媒体保持体において、
前記保持板を挟み込むように折り畳み可能に連接した２枚の表面板と、
前記保持板及び前記２枚の表面板と連接し、前記２枚の表面板が折り畳まれた場合と見開かれた場合とで異なる折り状態を具備し、該折り状態によって、前記２枚の表面板が折り畳まれた場合に、前記保持板を前記２枚の表面板に挟み込まれる領域に位置させ、前記２枚の表面板が見開かれた場合に、前記保持板をその少なくとも一部が前記２枚の表面板に対向しない領域に移動させる折り片部とを有することを特徴とするディスク型記録媒体保持体。
【発明の詳細な説明】
【技術分野】
【０００１】
本発明は、ＣＤ（Compact Disc）やＤＶＤ（Digital Versatile Disc）等のディスク型記録媒体を保持するディスク型記録媒体保持体に関する。
【背景技術】
【０００２】
従来より、音楽や映像は、老若男女を問わず娯楽の１つとして楽しまれており、これらは、ＣＤやＤＶＤ等のディスク型記録媒体に記録され、販売されたり貸し出されたりする。このようなディスク型記録媒体は、熱やほこり、磨耗に強く、また、映像を記録するビデオテープよりも小型であるため、音楽や映像を記録する記録媒体として近年主流のものとなっており、プラスチックや紙等からなる収納ケースに収納された状態で、販売されたり貸し出されたりしている。
【０００３】
このように、ディスク型記録媒体を収納する収納ケースにおいては、収納ケースが紙から構成されている場合は、映像の一部やミュージシャンの写真等が掲載されていたり、音楽の歌詞が掲載されていたりするものが用いられており、また、収納ケースがプラスチックから構成されている場合は、上述したような写真や歌詞が印刷されたものが収納ケースにディスク型記録媒体とともに収納されているものが用いられている。
【０００４】
ところが、このように写真や歌詞が掲載されているだけでは、近年の多様性を求める消費者にとって魅力的なものとは言えず、ディスク型記録媒体の販売量は、そのディスク型記録媒体に記録された音楽や映像そのものの人気に頼るしかなかった。そこで、イメージやムードを高めるために、振動したり触れたりした場合に発光素子が発光する電飾発光機能を有するＣＤケースが考えられている（例えば、特許文献１参照。）。このように、ディスク型記録媒体を収納するＣＤケースに電飾発光機能を付与することにより、ディスク型記録媒体に記録された音楽や映像に興味がない消費者もそのディスク型記録媒体を手にとって見ることとなり、宣伝効果を生じさせることができるようになる。
【特許文献１】特開２００３−１２０８１号公報
【発明の開示】
【発明が解決しようとする課題】
【０００５】
しかしながら、上述したようにディスク型記録媒体を収納するＣＤケースに電飾発光する機能を付与したものにおいては、振動したり触れたりした場合に発光素子が発光するだけであるため、ＣＤケースに収納されたディスク型記録媒体に記録された音楽や映像に関する情報を消費者に訴えることができず、そのため、ＣＤケースが発光して消費者がそのＣＤケースに興味を起こさせることができるものの、そのＣＤケースに収納されたディスク型記録媒体には興味を起こさせることができず、大きな宣伝効果を生じさせることができるとは言い難い。
【０００６】
本発明は、上述したような従来の技術が有する問題点に鑑みてなされたものであって、保持されたディスク型記録媒体に応じた情報を提供することを可能とし、それにより、保持されたディスク型記録媒体の大きな宣伝効果を生じさせることができるディスク型情報記録媒体を提供することを目的とする。
【課題を解決するための手段】
【０００７】
上記目的を達成するために本発明は、
ディスク型記録媒体のハブ孔に嵌合する支え部を具備し、前記支え部が前記ハブ孔に嵌合した状態で前記ディスク型記録媒体を保持する保持板を有するディスク型記録媒体保持体において、
前記保持板は、記録された音声情報の再生を可能に構成され、前記支え部に対向する領域に前記音声情報を再生するための操作部を具備するシート状の音声情報記録／再生手段を有することを特徴とする。
【０００８】
上記のように構成された本発明においては、ディスク型記録媒体が、ハブ孔に支え部が嵌合した状態で保持板に保持されており、ディスク型記録媒体をディスク型記録媒体保持体から離脱する場合、支え部を押しながらディスク型記録媒体を離脱させることになるが、保持板は、記録された音声情報の再生を可能に構成されたシート状の音声情報記録／再生手段を有し、記録された音声情報を再生するための操作部が、支え部に対向する領域に設けられているので、支え部を押しながらディスク型記録媒体を離脱させる際、操作部が操作されることになり、それにより、音声情報記録／再生手段に記録された音声情報が再生される。
【０００９】
このように、ディスク型記録媒体をディスク型記録媒体保持体から離脱するための支え部が押された際に、音声情報記録／再生手段に記録された音声情報が再生されるので、音声情報記録／再生手段に、保持されたディスク型記録媒体に応じた情報を記録しておけば、保持されたディスク型記録媒体の大きな宣伝効果を生じさせることができる。
【００１０】
また、前記音声情報記録／再生手段は、再生された音声情報を外部に出力する音声情報出力部を有し、
前記保持板は、前記ディスク型記録媒体が当接する当接面を具備し、該当接面のうち前記音声情報出力部に対向する領域に穴部を有する構成とすることも考えられる。
【００１１】
この場合、ディスク型記録媒体がディスク型記録媒体保持体に保持された状態では、保持板に設けられた穴部がディスク型記録媒体によって塞がれた状態となっており、ディスク型記録媒体がディスク型記録媒体保持体から離脱すると、保持板に設けられた穴部が表出した状態となり、音声情報出力部から出力された音声情報が穴部を介して外部に伝達されることになり、再生された音声情報が伝達されやすくなる。
【００１２】
また、前記保持板を挟み込むように折り畳み可能に連接した２枚の表面板と、
前記保持板及び前記２枚の表面板と連接し、前記２枚の表面板が折り畳まれた場合と見開かれた場合とで異なる折り状態を具備し、該折り状態によって、前記２枚の表面板が折り畳まれた場合に、前記保持板を前記２枚の表面板に挟み込まれる領域に位置させ、前記２枚の表面板が見開かれた場合に、前記保持板をその少なくとも一部が前記２枚の表面板に対向しない領域に移動させる折り片部とを有する構成とすることも考えられる。
【００１３】
この場合、２枚の表面板を見開くと、保持板の少なくとも一部が２枚の表面板から飛び出すような状態となり、さらに強いインパクトを与えることができる。
【発明の効果】
【００１４】
以上説明したように本発明においては、ディスク記録媒体を保持する保持板が、記録された音声情報の再生を可能に構成された音声情報記録／再生手段を有し、記録された音声情報を再生するための操作部が、ディスク記録媒体のハブ孔に嵌合する支え部に対向する領域に設けられている構成としたため、音声情報記録／再生手段に、保持されたディスク型記録媒体に応じた情報を記録しておくことにより、支え部を押しながらディスク型記録媒体を離脱させようとするだけで、保持されたディスク型記録媒体に応じた情報を提供することが可能となり、保持されたディスク型記録媒体の大きな宣伝効果を生じさせることができる。
【００１５】
また、音声情報記録／再生手段が、再生された音声情報を外部に出力する音声情報出力部を有し、保持板が、ディスク型記録媒体が当接する当接面のうち音声情報出力部に対向する領域に穴部を有する構成としたものにおいては、ディスク型記録媒体がディスク型記録媒体保持体から離脱すると、保持板に設けられた穴部が表出した状態となり、音声情報出力部から出力された音声情報が穴部を介して外部に伝達されることになり、再生された音声情報を伝達しやすくすることができる。
【００１６】
また、保持板を挟み込むように折り畳み可能に連接した２枚の表面板と、保持板及び２枚の表面板と連接し、２枚の表面板が折り畳まれた場合と見開かれた場合とで異なる折り状態を具備し、この折り状態によって、２枚の表面板が折り畳まれた場合に、保持板を２枚の表面板に挟み込まれる領域に位置させ、２枚の表面板が見開かれた場合に、保持板をその少なくとも一部が２枚の表面板に対向しない領域に移動させる折り片部とを有する構成としたものにおいては、２枚の表面板を見開くと、保持板の少なくとも一部が２枚の表面板から飛び出すような状態となり、さらなる強いインパクトを与えることができる。
【発明を実施するための最良の形態】
【００１７】
以下に、本発明の実施の形態について図面を参照して説明する。
【００１８】
図１は、本発明のディスク記録媒体保持体の実施の一形態となるＣＤケースを示す図であり、（ａ）は外観図、（ｂ）は（ａ）に示した保持板５０内部の構成を示す図、（ｃ）は（ｂ）に示したＡ−Ａ’断面図である。また、図２は、図１に示した保持板５０の積層状態を示す図である。
【００１９】
本形態は図１に示すように、ディスク型記録媒体であるＣＤを保持する保持板５０と、保持板５０を挟み込むようにまち部７１を介して折り畳み可能に連接した２枚の表面板７０ａ，７０ｂと、保持板５０及び表面板７０ａ，７０ｂと連接し、２枚の表面板７０ａ，７０ｂの折り畳み状態に応じて保持板５０の表面板７０ａ，７０ｂに対する相対位置を変化させる折り片部６０とから構成されている。
【００２０】
表面板７０ａ，７０ｂは、まち部７１を介して折り畳み可能に連接しており、まち部７１にて折り畳まれた場合、保持板５０及び折り片部６０を挟み込む。
【００２１】
折り片部６０は、６つの片部６１ａ〜６１ｆが折り部６２ａ〜６２ｆを介して折り畳み可能に連接して構成されている。片部６１ａは、表面板７０ａの折り畳み状態内側の面に接着剤（不図示）等によって接着されており、それにより、表面板７０ａと折り片部６０とが連接している。片部６１ｂは、折り部６２ａを介して片部６１ａと連接し、また、折り部６２ｂを介して片部６１ｃと連接し、また、折り部６２ｅを介して片部６１ｅと連接している。片部６１ｃは、折り部６２ｃを介して片部６１ｄと連接し、また、折り部６２ｆを介して片部６１ｆと連接している。片部６１ｅは、折り部６２ｄを介して片部６１ｆと連接している。また、片部６１ｆが、保持板５０を構成する表面シート１０ａと一体構造となっていることにより、保持板５０と折り片部６０とが連接している。また、片部６１ｄは、表面板７０ｂの折り畳み状態内側の面に接着剤（不図示）等によって接着されており、それにより、表面板７０ｂと折り片部６０とが連接している。
【００２２】
保持板５０は図１及び図２に示すように、記録された音声情報の再生が可能なシート状の音声情報記録／再生部３０が、紙基材等の柔軟性を有し、かつ薄型の基材からなる２枚の支持シート２０ａ，２０ｂに挟み込まれ、また、音声情報記録／再生部３０を挟み込んだ支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟み込まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。
【００２３】
音声情報記録／再生部３０は、音声情報が記録されるＩＣチップを具備するＩＣ基板３２と、ＩＣ基板３２に記録された音声情報を再生する際に操作される操作部である薄型のスイッチ３３と、ピエゾ素子４１、振動板４２及びフィルムシート（不図示）からシート状に構成され、再生された音声情報を出力するための音声情報出力部４０と、ＩＣ基板３２に接続され、ＩＣ基板３２に電源を供給するための薄型のコイン電池３１とから構成されている。なお、ＩＣ基板３２と、コイン電池３１及びピエゾ素子４１とはそれぞれ、はんだ溶接されたリード線を介して互いに電気的に接続されている。また、スイッチ３３は、フィルム基板３５上に搭載され、このフィルム基板３５上に形成された配線パターン３４ａ，３４ｂとＩＣ基板３２とについても、はんだ溶接されたリード線を介して互いに電気的に接続されている。ＩＣ基板３２内のＩＣチップは、メモリ領域に記録された音声情報を音声情報出力部４０を介して出力する制御を行うものであって、コイン電池３１によって電源が供給されるポート端子や、グランド電位に接続されたポート端子や、メモリ領域に記録された音声情報を音声情報出力部４０に出力するためのポート端子や、メモリ領域に記録された音声情報を音声情報出力部４０を介して出力するための指示信号が入力されるポート端子等を有し、このうち、メモリ領域に記録された音声情報を音声情報出力部４０を介して出力するための指示信号が入力されるポート端子がグランド電位となった場合、メモリ領域に記録された音声情報を音声情報出力部４０を介して出力する。フィルム基板３５上に形成された配線パターン３４ａ，３４ｂは、配線パターン３４ａの一端が、ＩＣ基板３２内のＩＣチップのポート端子のうち、メモリ領域に記録された音声情報を音声情報出力部４０を介して出力するための指示信号が入力されるポート端子に接続され、また、配線パターン３４ｂの一端が、ＩＣ基板３２を介してコイン電池３１のグランド電位に接続されている。
【００２４】
表面シート１０ａは、ＣＤを保持した場合にＣＤが当接する当接面を構成するものであって、スイッチ３３と対向する領域に、保持するＣＤのハブ孔に嵌合する支え部材５１が設けられている。この支え部材５１は、紙材やウレタン系、プラスチック、アクリル、布等、ＣＤのハブ孔に嵌合することによりＣＤを保持可能とするものから構成されていればよいが、支え部材５１を介してスイッチ３３が押下される程度の柔軟性を有するものである必要がある。また、音声情報出力部４０と対向する領域に、音声情報出力部４０から出力された音声を外部に出力するための微細な穴が羅列されてなる音声出力領域１１が形成されている。このように微細な穴が羅列されてなる音声出力領域１１が形成されているため、音声情報出力部４０がその表裏を表面シート１０ａ，１０ｂで覆われた状態であっても、音声情報出力部４０から出力される音量の低下を補うことができる。なお、音声出力領域１１においては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。
【００２５】
支持シート２０ａにおいては、音声情報記録／再生部３０と積層された場合に、音声情報出力部４０、コイン電池３１、ＩＣ基板３２、スイッチ３３及びフィルム基板３５に対向する領域に穴部２１が形成されている。
【００２６】
支持シート２０ｂにおいては、音声情報記録／再生部３０と積層された場合に、音声情報出力部４０に対向する領域に穴部２２が形成され、また、コイン電池３１に対向する領域に穴部２３が形成され、また、ＩＣ基板３２に対向する領域に穴部２４が形成されている。
【００２７】
このように、支持シート２０ａの、音声情報出力部４０、コイン電池３１、ＩＣ基板３２、スイッチ３３及びフィルム基板３５と対向する領域に穴部２１が形成され、また、支持シート２０ｂの、音声情報出力部４０、コイン電池３１及びＩＣ基板３２と対向する領域に穴２２〜２４がそれぞれ形成されることにより、コイン電池３１、ＩＣ基板３２、スイッチ３３及び音声情報出力部４０が設けられている領域と他の領域とで厚さの差が小さくなり、それにより、音声情報記録／再生部３０を内蔵しながらも表面シート１０ａ，１０ｂの平坦性が向上する。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。また、支持シート２０ａ，２０ｂを表面シート１０ａ，１０ｂに挟み込むことにより、保持板５０の剛性が高めることができる。
【００２８】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２９】
図３（ａ）に示すように、支持シート２０ａの音声情報出力部４０、コイン電池３１、ＩＣ基板３２、スイッチ３３及びフィルム基板３５と対向する領域に形成された穴部２１は、これら音声情報出力部４０、コイン電池３１、ＩＣ基板３２、スイッチ３３及びフィルム基板３５を含む大きさとなっている。
【００３０】
また、図３（ｂ）に示すように、支持シート２０ｂの音声情報出力部４０と対向する領域に形成された穴部２２は音声情報出力部４０よりも小さく、また、コイン電池３１と対向する領域に形成された穴部２３はコイン電池３１よりも大きく、また、ＩＣ基板３２と対向する領域に形成された穴部２４はＩＣ基板３２よりも大きくなっている。
【００３１】
以下に、上記のように構成されたＣＤケース１の使用方法について説明する。
【００３２】
図４は、図１〜図３に示したＣＤケース１の使用方法を説明するための図であり、（ａ）は２枚の表面板７０ａ，７０ｂを折り畳んだ状態を示す外観図、（ｂ）は２枚の表面板７０ａ，７０ｂを見開いた状態を示す外観図である。
【００３３】
ＣＤ２がＣＤケース１に収納された状態においては、ＣＤ２のハブ孔２ａに保持板５０の支え部材５１が嵌合し、保持板５０にＣＤが当接している。そして、図４（ａ）に示すように、２枚の表面板７０ａ，７０ｂがまち部７１にて折り畳まれた状態となって販売されたり、貸し出されたりしている。
【００３４】
２枚の表面板７０ａ，７０ｂがまち部７１にて折り畳まれた状態においては、折り部６２ａが、片部６１ａと片部６１ｂとのなす角度が約０度となるように谷折りとなり、また、折り部６２ｂが、片部６１ｂと片部６１ｃとのなす角度が約０度となるように山折りとなり、また、折り部６２ｅが、片部６１ｂと片部６１ｅとのなす角度が約０度となるように山折りとなり、また、折り部６２ｄが、片部６１ｅと片部６１ｆとのなす角度が約０度となるように谷折りとなり、また、折り部６２ｆが、片部６１ｃと片部６１ｆとのなす角度が約０度となるように山折りとなり、また、折り部６２ｃが、片部６１ｃと片部６１ｄとのなす角度が約０度となるように谷折りとなる。すると、この折り片部６０の折り状態によって、片部６２ｆに連接した保持板５０は、２枚の表面板７０ａ，７０ｂにその全体が挟み込まれる位置となり、保持板５０に保持されたＣＤ２は、２枚の表面板７０ａ，７０ｂに挟み込まれて外部から保護されることとなる。この際、折り片部６０においては、折り部６２ｃ〜６２ｆにて折り畳まれることにより４枚の片部６１ｂ，６１ｄ，６１ｅ，６１ｆが重なり合う領域を有することになるが、この４枚の片部６１ｂ，６１ｄ，６１ｅ，６１ｆに対向しない領域にＣＤ２が保持された保持板５０が存在することになるため、２枚の表面板７０ａ，７０ｂをまち部７１にて折り畳んだ場合に、ＣＤケース１全体の厚さの均一化が図られることになる。
【００３５】
ＣＤケース１に収納されたＣＤ２を取り出すために２枚の表面板７０ａ，７０ｂを見開くと、図４（ｂ）に示すように、片部６１ａと片部６１ｂとのなす角度、片部６１ｂと片部６１ｃとのなす角度、片部６１ｂと片部６１ｅとのなす角度、片部６１ｅと片部６１ｆとのなす角度、片部６１ｃと片部６１ｆとのなす角度、及び片部６１ｃと片部６１ｄとのなす角度がそれぞれ１８０度に近づくように広がっていき、折り片部６０の折り状態が変化していく。すると、片部６２ｆに連接した保持板５０は、その一部が２枚の表面板７０ａ，７０ｂに対向しない領域に移動し、表面板７０ｂから飛び出したような状態となる。
【００３６】
このように２枚の表面板７０ａ，７０ｂを見開き、保持板５０が表面板７０ｂから飛び出した状態において、保持板５０に保持されているＣＤ２を保持板５０から離脱する。
【００３７】
ここで、保持板５０に内蔵された音声情報記録／再生部３０のスイッチ３３の操作による音声情報記録／再生部３０の動作について説明する。
【００３８】
図５は、図１に示したスイッチ３３の操作による音声情報記録／再生部３０の動作を説明するための図であり、（ａ）はフィルム基板３５上の詳細な構成を示す図、（ｂ）はスイッチ３３が押下されていない状態におけるスイッチ３３及びフィルム基板３５の断面図、（ｃ）はスイッチ３３が押下された状態におけるスイッチ３３及びフィルム基板３５の断面図、（ｄ）はスイッチ３３が押下されていない状態における等価回路図、（ｅ）はスイッチ３３が押下された状態における等価回路図である。
【００３９】
図５（ａ）に示すように、フィルム基板３５には、リード線を介してＩＣ基板３２に接続された２つの配線パターン３４ａ，３４ｂが形成されている。この２つの配線パターン３４ａ，３４ｂはそれぞれ櫛状となっており、櫛の歯の部分が互い違いに対向するように形成されている。配線パターン３４ａ，３４ｂのうち一方の配線パターン３４ａは、ＩＣ基板３２内のＩＣチップのポート端子のうち、メモリ領域に記録された音声情報を音声情報出力部４０を介して出力するための指示信号が入力されるポート端子に接続され、他方の配線パターン３４ｂは、ＩＣ基板３２を介してコイン電池３１のグランド端子に接続されている。
【００４０】
スイッチ３３が押下されていない状態においては、図５（ｂ）に示すように、スイッチ３３が２つの配線パターン３４ａ，３４ｂに接しておらず、それにより、図５（ｄ）に示すように、ＩＣ基板３２内のＩＣチップのポート端子のうち、配線パターン３４ａに接続され、メモリ領域に記録された音声情報を音声情報出力部４０を介して出力するための指示信号が入力されるポート端子はオープン状態となっている。そのため、この状態では、メモリ領域に記録された音声情報は音声情報出力部４０を介して出力されない。
【００４１】
スイッチ３３が押下されると、図５（ｃ）に示すように、スイッチ３３がフィルム基板３５の表面に沿うように変形し、それにより、スイッチ３３の裏面に塗布された導電剤３３ａを介して２つの配線パターン３４ａ，３４ｂが電気的に接続された状態となる。すると、図５（ｅ）に示すように、配線パターン３４ｂがＩＣ基板３２を介してコイン電池３１のグランド端子に接続されているため、配線パターン３４ａと接続されたポート端子、すなわち、メモリ領域に記録された音声情報を音声情報出力部４０を介して出力するための指示信号が入力されるポート端子がコイン電池３１による電源３１ａのグランド電位となり、メモリ領域に記録された音声情報が音声情報出力部４０を介して出力されることになる。
【００４２】
ここで、図１に示したＣＤケース１において、保持板５０に保持されたＣＤ２を保持板５０から離脱させる際の作用について説明する。
【００４３】
図６は、図１に示したＣＤケース１からＣＤ２を離脱する際の状態を示す図である。
【００４４】
図１に示したＣＤケース１においては、保持板５０に保持されたＣＤ２を保持板５０から離脱させる場合、図６に示すように、ＣＤ２のハブ孔２ａに嵌合している支え部材５１を指で押さえながらＣＤ２を離脱させることになる。この際、支え部材５１に対向する領域には、上述したように音声情報記録／再生部３０のスイッチ３３が配置されているため、保持板５０に保持されたＣＤ２を保持板５０から離脱させるために支え部材５１を指で押さえると、支え部材５１を介してスイッチ３３が押下され、それにより、スイッチ３３が図５（ｃ）に示したような状態となり、メモリ領域に記録された音声情報が音声情報出力部４０を介して出力されることになる。
【００４５】
このように本形態においては、ＣＤ２を保持する保持板５０に、記録された音声情報の再生を可能に構成された音声情報記録／再生部３０が内蔵され、記録された音声情報を再生するためのスイッチ３３が、ＣＤ２のハブ孔２ａに嵌合する支え部材５１に対向する領域に設けられているため、音声情報記録／再生部３０のＩＣ基板３２のメモリ領域に、保持されたＣＤ２に応じた情報を記録しておくことにより、支え部材５１を押しながらＣＤ２を離脱させようとするだけで、保持されたＣＤ２に応じた情報を提供することが可能となる。
【００４６】
また、音声情報記録／再生部３０が保持板５０に内蔵されることにより、表面板７０ａ，７０ｂや折り片部６０を構成する片部６１ａ〜６１ｆに、保持板５０の音声出力領域１１のような微細な穴を形成する必要がなく、それにより、表面板７０ａ，７０ｂや折り片部６０を構成する片部６１ａ〜６１ｆに情報を印字する場合に印字しにくくなることがない。保持板５０は、ＣＤ２が当接するものであるため、文字情報を印字する可能性が低く、そのため、微細な穴が形成された音声出力領域１１を設けても情報伝達における影響は小さい。
【００４７】
また、音声情報記録／再生部３０が保持板５０に内蔵されることにより、表面板７０ａ，７０ｂに音声情報記録／再生部３０を内蔵する必要がなく、そのため、表面板７０ａ，７０ｂをそれぞれ例えば袋状に構成することにより、音声情報記録／再生部３０を内蔵しながらも、表面板７０ａ，７０ｂに歌詞カード等を挿入可能な構成とすることもできる。
【００４８】
なお、本形態においては、保持板５０のスイッチ３３に対向する領域に支え部材５１が設けられているが、保持板５０を構成する表面シート１０ａの支え部材５１が設けられた領域に、支え部材５１よりも小さな径を有する穴部を設けることも考えられる。そのような構成とすれば、保持板５０に保持されたＣＤ２を保持板５０から離脱させるために支え部材５１を指で押さえた場合、その圧力がスイッチ３３に伝達されやすくなり、支え部材５１を弱い力で押さえた場合であっても、メモリ領域に記録された音声情報を音声情報出力部４０を介して出力することができるようになる。なお、保持板５０の表面シート１０ａに設ける穴部の径を支え部材５１よりも小さなものとしたのは、支え部材５１を保持板５０に接着剤等によって固定するために支え部材５１の一部を保持板５０に当接させる必要があるからである。
【００４９】
また、ピエゾ素子４１及び振動板４２からなる音声情報出力部４０の形状を大きくすることにより、メモリ領域に記録された音声情報の出力音量を大きくすることができるが、音声情報出力部４０の形状を大きくすると、支持シート２０ａ，２０ｂにそれぞれ形成される穴部２１，２２の大きさも大きくする必要が生じ、それにより、保持板５０の剛性が低下してしまうため、音声情報出力部４０の形状は、支持シート２０ａ，２０ｂによる保持板５０の剛性を考慮して設計することが好ましい。
【００５０】
また、本形態においては、ＣＤ２を保持する保持板５０が、２枚の表面板７０ａ，７０ｂに挟み込まれ、表面板７０ａ，７０ｂに連接した折り片部６０の折り状態によって、２枚の表面板７０ａ，７０ｂが折り畳まれた場合と見開かれた場合とで２枚の表面板７０ａ，７０ｂに対する相対位置が変化する構成を有するＣＤケース１を例に挙げて説明したが、本発明は、このような構成を有するものに限らず、ＣＤ２のハブ孔２ａに嵌合する支え部材５１を具備し、支え部材５１がＣＤ２のハブ孔２ａに嵌合した状態でＣＤ２を保持するものであれば、ただ単に見開き型のＣＤケースや、保持板のみのＣＤ保持体等であってもよい。
【００５１】
また、保持板５０に保持されるディスク型記録媒体としては、ＣＤ２に限らずＤＶＤ等、ハブ孔を有するものであれば適用することができる。
【図面の簡単な説明】
【００５２】
【図１】本発明のディスク記録媒体保持体の実施の一形態となるＣＤケースを示す図であり、（ａ）は外観図、（ｂ）は（ａ）に示した保持板内部の構成を示す図、（ｃ）は（ｂ）に示したＡ−Ａ’断面図である。
【図２】図１に示した保持板の積層状態を示す図である。
【図３】図１及び図２に示した支持シートと音声情報記録／再生部とを積層した状態を示す図である。
【図４】図１〜図３に示したＣＤケースの使用方法を説明するための図であり、（ａ）は２枚の表面板を折り畳んだ状態を示す外観図、（ｂ）は２枚の表面板を見開いた状態を示す外観図である。
【図５】図１に示したスイッチの操作による音声情報記録／再生部の動作を説明するための図であり、（ａ）はフィルム基板上の詳細な構成を示す図、（ｂ）はスイッチが押下されていない状態におけるスイッチ及びフィルム基板の断面図、（ｃ）はスイッチが押下された状態におけるスイッチ及びフィルム基板の断面図、（ｄ）はスイッチが押下されていない状態における等価回路図、（ｅ）はスイッチが押下された状態における等価回路図である。
【図６】図１に示したＣＤケースからＣＤを離脱する際の状態を示す図である。
【符号の説明】
【００５３】
１    ＣＤケース
２    ＣＤ
２ａ    ハブ孔
１０ａ，１０ｂ    表面シート
１１    音声出力領域
２０ａ，２０ｂ    支持シート
２１〜２４    穴部
３０    音声情報記録／再生部
３１    コイン電池
３１ａ    電源
３２    ＩＣ基板
３３    スイッチ
３３ａ    導電剤
３４ａ，３４ｂ    配線パターン
３５    フィルム基板
４０    音声情報出力部
４１    ピエゾ素子
４２    振動板
５０    保持板
５１    支え部材
６０    折り片部
６１ａ〜６１ｆ    片部
６２ａ〜６２ｆ    折り部
【図１】
0005140397.tif 000002
【図２】
0005140397.tif 000003
【図３】
0005140397.tif 000004
【図４】
0005140397.tif 000005
【図５】
0005140397.tif 000006
【図６】
0005140397.tif 000007